(57)【要約】      （修正有）【課題】打ち揚げ後の玉皮のゴミを少なくすることができ、安価かつ安全に製造可能な打ち揚げ花火玉を提供する。また水上での花火の開花をより美しいものにする。【解決手段】打ち揚げ花火玉の構成は、割薬３、星４、玉皮５〜７からなる打ち上げ花火玉であって、玉皮５〜７は、水溶性の紙であることを特徴とする。水溶性の玉皮５，６に火薬を仕込んで一つの花火玉とした後、前記玉皮より半径の小さい半球体の玉皮７を上下から挟みこむように合わせて作成する為、それぞれの玉皮の内側に空間が出来、そこに空気が入ることでこの花火玉を水上に浮かせた際に浮力が生まれ、より美しい半円に開花させることが出来るようになる。【選択図】図１
2010014345.tif 000002
【特許請求の範囲】
【請求項１】
割薬、星、玉皮からなる打ち上げ花火玉であって、
前記玉皮は、水溶性の紙であることを特徴とする打ち揚げ花火玉。
【請求項２】
前記玉皮に火薬を仕込んで作成した一つの花火玉に、前記玉皮より半径の小さい半球体の玉皮を上下から挟みこむようにあわせて、前記玉皮と前記半球体の玉皮との間に空間を設けたことを特徴とする請求項１に記載の打ち揚げ花火玉。
【発明の詳細な説明】
【技術分野】
【０００１】
本発明は、花火打揚に用いられる打ち揚げ花火玉に関するものである。
【背景技術】
【０００２】
従来、プレスで成型した紙からなる半球状の玉皮の内側に沿って星を配列し、星の内側に割薬を充填した２つの玉皮を合わせて、１つの玉とし、１つの玉の周りに紙を何重にも重ねて貼り付けてなる打ち揚げ花火玉が用いられている。
【０００３】
しかし、従来使用されている玉皮は厚く、落下後雨等では容易には自然分解し難いため、環境に対し好適ではない。
【０００４】
また当該花火玉は、水上で開花させる場合、水に浮かびにくく沈んでしまう為美しい半円に開花させることが出来ないものであり、その際海や河川に落ちた玉皮等の破片は回収が不可能であった。
【０００５】
また、特許文献１に記載されているように、打ち揚げ花火玉の打ち揚げ後の玉皮のゴミを少なくするため、分解可能な生分解プラスティックの玉皮を用いたものがある。
【０００６】
また、特許文献２に記載されているように、玉皮自体を火薬として、打ち揚げ時に焼却してしまうものもある。
【０００７】
特許文献１、２に記載された花火玉は、通常の紙を用いた玉皮に比べて大変高価であり、その玉皮を使って花火を製造する場合には多くのコストがかかる。また、特許文献２の燃え尽きる玉皮は玉皮自体が火薬であるため、製造工程に危険を伴う。
【０００８】
【特許文献１】特開２００２−３５００９７号公報
【特許文献２】特開２００２−２７７１９７号公報
【発明の開示】
【発明が解決しようとする課題】
【０００９】
そこで本発明は、打ち揚げ後の玉皮のゴミを少なくすることができ、安価かつ安全に製造可能な打ち揚げ花火玉を提供すること、また水上での花火の開花をより美しいものにすることを目的とする。
【課題を解決するための手段】
【００１０】
上記課題を解決するために本発明に係る打ち揚げ花火玉の構成は、割薬、星、玉皮からなる打ち上げ花火玉であって、前記玉皮は、水溶性の紙であることを特徴とする。
【００１１】
また当該水溶性の玉皮に火薬を仕込んで一つの花火玉とした後、前記玉皮より半径の小さい半球体の玉皮を上下から挟みこむように合わせる。
【発明の効果】
【００１２】
本発明によれば、打ち揚げ後の玉皮のゴミを少なくすることができ、安価かつ安全に製造可能な打ち揚げ花火玉を提供できる。具体的には、海や河川などの水上に落下し回収が不可能だった破片は１０分程で溶解するため、環境に対する悪影響は無くなる。地上に落下した破片は地上の水分により徐々に溶解するため、回収の必要が従来に比べ遥かに少なくなり、雨天の場合雨が破片を溶解させるため、回収の必要が無くなる。
【００１３】
さらに、水溶性の玉皮に火薬を仕込んで一つの花火玉とした後、前記玉皮より半径の小さい半球体の玉皮を上下から挟みこむように合わせて作成する為、それぞれの玉皮の内側に空間が出来、そこに空気が入ることでこの花火玉を水上に浮かせた際に浮力が生まれ、より美しい半円に開花させることが出来るようになる。
【発明を実施するための最良の形態】
【００１４】
本発明に係る打ち揚げ花火玉の実施形態について、図を用いて説明する。
【００１５】
（打ち揚げ花火玉１の構成）
図１は本実施形態に係る打ち揚げ花火玉１の構成図である。図１に示すように、打ち揚げ花火玉１は、導火線２、割薬３、星４、玉皮５、６を中心から順に球状に重ねてなる。
【００１６】
打ち揚げ花火玉１は、星と割薬を仕込んだ玉皮５の上下から玉皮６Ａを、左右から玉皮６Ｂを貼り合わせたものであり、そのようにして形成された球体の上下から玉皮６Ａ、６Ｂより半径の小さい半球体の玉皮７を上下から挟むようにして合わせ、花火玉を完成させている。
【００１７】
玉皮５、６Ａ、６Ｂ、７は、水溶性の紙である。
【００１８】
図１に示すように、導火線２は、打ち揚げ花火玉１の外側から内側の中央まで挿入されている。星４は、半球状の玉皮５の内側に沿って配列される。図１に示すように、割薬３は、玉皮５の内側に配列された星４の内側に充填される。玉皮５は、プレスで成型した紙であり、中空球形を２分割した半球形状となっている。図１に示すように、割薬３、星４が充填された２つの玉皮５を合わせて、１つの玉とする。
【００１９】
その玉の上から、プレスで成型した半球形状の玉皮６Ａを上下・６Ｂを左右から貼り付けて玉皮６を成型し、その上下から挟み込むように玉皮７を貼り付ける。
【００２０】
このように形成された打ち揚げ花火玉１は、打ち揚げ時に、導火線２に着火した火が割薬３を爆発させ、星４を飛び散らせて、打ち揚げ花火を表現する。
【００２１】
従来の玉皮は、水溶性の紙を使用していないため水に溶けることはない。これに対し本実施形態の玉皮５、６、７は、１０分で水に溶ける。
【００２２】
上述の如く、玉皮５、６、７を水溶性の紙としたことにより、打ち揚げ後の玉皮のゴミを少なくすることができ、環境に対して好適であり、安価かつ安全に製造可能な打ち揚げ花火玉を提供できる。すなわち、海や河川などの水上に落下し回収が不可能だった破片（玉皮５、６、７）は数十分で溶解するため、環境に対する悪影響は無くなる。地上に落下した破片は地上の水分により徐々に溶解するため、回収の必要が従来に比べ遥かに少なくなり、雨天の場合には雨が破片を溶解させるため、回収の必要が無くなる。
【００２３】
さらに、玉皮７を花火玉の上下から挟み込むように張り合わせたことで、玉皮７の内側（玉皮６Ａ、６Ｂと玉皮７との間）に空間が出来、そこに空気が入ることで花火玉１を水上に浮かせた際に浮力が生まれ、より美しい半円に開花させることが出来るようになった。
【図面の簡単な説明】
【００２４】
【図１】本実施形態に係る打ち揚げ花火玉１の構成図である。
【図２】本実施形態に係る打ち揚げ花火玉１の構成図である。
【符号の説明】
【００２５】
１          …打ち揚げ花火玉
２          …導火線
３          …割薬
４          …星
５          …玉皮（水溶性）
６Ａ、６Ｂ    …玉皮（水溶性）
７          …玉皮（水溶性）
【図１】
2010014345.tif 000003
【図２】
2010014345.tif 000004